(57)【要約】【課題】掛け心地の良い装飾性に優れた、眼鏡を提供することである。【解決手段】眼鏡１０は、レンズ１６と、レンズ１６を保持する左右一対のリム１８と、該リム１８をつなぐブリッジ２４とを備えた眼鏡本体１２を含む。眼鏡本体１２のフロント部には、係止手段３６によりアタッチメントフレーム１４が着脱自在に取付けられる。アタッチメントフレーム１４は、弾性を有すると共に眼鏡本体１２のフロント部の左右の長さより短い長さの左右長を有し、眼鏡本体１２のリム１８の少なくとも一部を覆うリム被覆部３２と、リム被覆部３２に連接され、眼鏡本体１２のブリッジ２４を覆うブリッジ被覆部３４とを含む。アタッチメントフレーム１４は、係止手段３６とアタッチメントフレーム１４との弾性力の協働作用により、眼鏡本体１２のフロント部に着脱自在に取付けられる。【選択図】図２
2006091084.tif 000002
【特許請求の範囲】
【請求項１】
レンズ、前記レンズを保持する左右一対のリム、前記左右一対のリムをつなぐブリッジを備えた眼鏡本体、および、弾性を有すると共に前記眼鏡本体のフロント部の左右の長さより短い長さの左右長を有し、係止手段により前記眼鏡本体のフロント部に前方から着脱自在に取付けられるアタッチメントフレームを含み、
前記アタッチメントフレームは、前記眼鏡本体のリムの少なくとも一部を覆うリム被覆部、および、前記リム被覆部に連接され、前記眼鏡本体のブリッジを覆うブリッジ被覆部を含み、前記係止手段および前記アタッチメントフレームの弾性変形により前記眼鏡本体のフロント部に着脱自在に取付けられることを特徴とする、眼鏡。
【請求項２】
前記係止手段は、前記リム被覆部の両側に配設され、前記リム被覆部の外縁側に向く凸部を有する係止爪片を含み、前記眼鏡本体のレンズは、前記係止爪片が係止される位置に対応して配設される切欠き部を含み、
前記アタッチメントフレームは、前記係止爪片が前記切欠き部に係止され、且つ、前記係止爪片の凸部が前記眼鏡本体のリムのリム溝に係止されることで、前記眼鏡本体のフロント部に着脱自在に取付けられることを特徴とする、請求項１に記載の眼鏡。
【請求項３】
前記アタッチメントフレームが前記眼鏡本体のフロント部に取付けられたときに、前記係止爪片と前記切欠き部の端面との間には、前記眼鏡本体のフロント部の変形を前記アタッチメントフレームの弾性変形によって吸収させるための間隙ができるように、前記切欠き部の大きさが設定されていることを特徴とする、請求項２に記載の眼鏡。
【発明の詳細な説明】
【技術分野】
【０００１】
本願発明は、眼鏡に関し、特に、フロント部に取付けられるアタッチメントによって、眼鏡の装飾効果を向上させることができる、眼鏡に関する。
【背景技術】
【０００２】
本願発明の背景となる従来の眼鏡には、眼鏡フレームに対して簡単に着脱できるようにした、マグネットによる着脱式サングラスがあった。この場合、つるなしサングラスが形成され、そのフレームの両端部にマグネットが取付けられると共に、他の眼鏡フレームの両端部にもマグネットが取付けられ、該つるなしサングラスを着脱可能にしている（例えば、特許文献１参照。）。すなわち、眼鏡のフロント部前面に、別のレンズを備えたフロント部だけからなる別フレームを取付ける、所謂、前掛けタイプのダブルフレーム構造を有するものであった。このマグネットによる着脱式サングラスでは、日常使用している眼鏡のフロント部にたとえば色付きのレンズを有する別フレームを取付けることによって、該眼鏡にサングラスの効果を付加しようとする眼鏡である。
【０００３】
【特許文献１】特開平７−１２８６２０号公報（第２頁、図１，図２）
【発明の開示】
【発明が解決しようとする課題】
【０００４】
しかしながら、このような従来のダブルフレーム構造を有する眼鏡では、普段使用している眼鏡側のレンズと別フレーム側のレンズとが重なるため、その重量感により、眼鏡を掛けたときの掛け心地が悪いものとなっていた。さらに、この従来の眼鏡では、つるなしサングラス（別フレーム）を取外すと該眼鏡側のマグネットが突起部として露出し、普段使用される該眼鏡の装飾性が損なわれる恐れがあった。しかも、この場合、普段使用している眼鏡側のフレームおよび別フレームの双方の所定の位置にマグネットを設けなければならないので、どうしてもデザイン上の制約があった。そのため、多面的な装飾効果を付与することが困難なものとなっていた。
【０００５】
それゆえに、本願発明の主たる目的は、掛け心地の良い装飾性に優れた、眼鏡を提供することである。
【課題を解決するための手段】
【０００６】
請求項１にかかる本願発明は、レンズと、レンズを保持する左右一対のリムと、左右一対のリムをつなぐブリッジとを備えた眼鏡本体、および、弾性を有すると共に眼鏡本体のフロント部の左右の長さより短い長さの左右長を有し、係止手段により眼鏡本体のフロント部に前方から着脱自在に取付けられるアタッチメントフレームを含み、アタッチメントフレームは、眼鏡本体のリムの少なくとも一部を覆うリム被覆部と、リム被覆部に連接され、眼鏡本体のブリッジを覆うブリッジ被覆部とを含み、係止手段と、アタッチメントフレームの弾性変形とにより、眼鏡本体のフロント部に着脱自在に取付けられることを特徴とする、眼鏡である。
請求項１にかかる本願発明では、アタッチメントフレームが係止手段によって眼鏡本体のフロント部に係止される。眼鏡本体のリムは、その少なくとも一部がリム被覆部により被覆され、眼鏡本体のブリッジは、ブリッジ被覆部により被覆される。さらに、アタッチメントフレームの左右の長さは、眼鏡本体のフロント部の左右の長さより短く形成され、且つ、弾性を有しているので、アタッチメントフレームは、その弾性力によって、眼鏡本体のフロント部に弾圧的に保持される。言い換えると、眼鏡本体のフロント部の左右長がアタッチメントフレームの左右長よりも長く形成されているため、眼鏡本体のフロント部に係止されたアタッチメントフレームは、眼鏡本体のフロント部により左右方向に引っ張られながら弾圧的に保持されている。
そのため、係止手段を解除してアタッチメントフレームの弾性力を利用することによって、眼鏡本体のフロント部から該アタッチメントフレームを簡単に取外すことが可能となる。また、眼鏡本体のフロント部が外力等によって変形した場合でも、その力（変形力）はアタッチメントフレームの弾性力により吸収される。
請求項２にかかる本願発明は、請求項１にかかる発明に従属する眼鏡であって、係止手段は、リム被覆部の両側に配設され、リム被覆部の外縁側に向く凸部を有する係止爪片を含み、眼鏡本体のレンズは、係止爪片が係合される位置に対応して配設される切欠き部を含み、アタッチメントフレームは、係止爪片が切欠き部に係合され、且つ、係止爪片の凸部が眼鏡本体のリムのリム溝に係止されることで、眼鏡本体のフロント部に着脱自在に取付けられることを特徴とする、眼鏡である。
請求項２にかかる本願発明では、アタッチメントフレームの係止爪片が眼鏡本体のレンズに配置された切欠き部に係止され、係止爪片の凸部が眼鏡本体のリムのリム溝に係止される。この場合、アタッチメントフレームの弾性力によって、係止爪片の凸部が眼鏡本体のリムのリム溝に弾圧的に保持される。そのため、アタッチメントフレームを眼鏡本体のフロント部にガタツキがないようにしっかりと保持させることが可能となる。
請求項３にかかる本願発明は、請求項２にかかる発明に従属する眼鏡であって、アタッチメントフレームが眼鏡本体のフロント部に取付けられたときに、係止爪片と切欠き部の端面との間には、眼鏡本体のフロント部の変形をアタッチメントフレームの弾性変形によって吸収させるための間隙ができるように、切欠き部の大きさが設定されていることを特徴とする、眼鏡である。
請求項３にかかる本願発明では、係止爪片と切欠き部の端面との間に配設された間隙部において、眼鏡本体のフロント部の変形をアタッチメントフレームの弾性変形により吸収させることが可能となる。
本願発明では、アタッチメントフレームが、眼鏡本体のリムの全周を覆う環状のリム被覆部を含むようにすることが好ましい。この場合、リム被覆部が眼鏡本体のリムの全周を覆うように環状に形成されるので、該リム被覆部により眼鏡本体のリムの全周が被覆される。
また、本願発明では、アタッチメントフレームが、前記眼鏡本体のリムの略上半分または略下半分を覆うことが可能なＣ字状のリム被覆部を含むようにすることも適宜可能である。この場合、リム被覆部が眼鏡本体のリムの略上半分または略下半分を覆うようにＣ字状に形成されているため、該リム被覆部により眼鏡本体のリムの略上半分または略下半分が被覆される。
さらに、本願発明では、アタッチメントフレームが眼鏡本体のフロント部に取付けられたときに、少なくとも眼鏡本体のリムが、前方から見て、アタッチメントフレームのリム被覆部の外周縁からはみ出ないように、アタッチメントフレームの大きさを設定することも可能である。この場合、少なくとも眼鏡本体のリムは、前方から見て、アタッチメントフレームのリム被覆部の外周縁からはみ出ることがないため、あたかも、眼鏡本体のフロント部のたとえばリムのみを取り替えたように見え、美観的にスッキリとした趣きを呈するものとなる。
さらに、本願発明では、アタッチメントフレームの少なくとも一部に、図形、文字、記号、模様、着色部、透明部、半透明部、透光部、異形形状部等の装飾表示手段が配設されるようにしてもよい。すなわち、この装飾表示手段を有するアタッチメントフレームが眼鏡本体のフロント部に取付けられた場合、当該装飾表示手段によって、種々の装飾効果が付与され得る。
【発明の効果】
【０００７】
本願発明にかかる眼鏡によれば、掛け心地の良い装飾性に優れた、眼鏡が得られる。
【０００８】
本願発明の上述の目的、その他の目的、特徴および利点は、図面を参照して行う以下の発明を実施するための最良の形態の詳細な説明から一層明らかとなろう。
【発明を実施するための最良の形態】
【０００９】
本願発明にかかる眼鏡では、眼鏡レンズを具備していないアタッチメントフレームを眼鏡本体のフロント部に簡単に着脱自在に取付けることによって、掛け心地を損なうことなく、多様な装飾性を付与することができる、眼鏡を実現することができた。
【００１０】
図１は、本願発明にかかる眼鏡の一例を示す斜視図であり、図２は、図１に示す眼鏡の分解正面図であり、図３は、図１に示す眼鏡の分解平面図である。また、図４は、図１に示す眼鏡の要部を示す拡大図解図であり、図５は、図４に示すレンズ側の要部の拡大図解図である。さらに、図６（Ａ）は、図１の線Ａ−Ａにおける断面図であり、図６（Ｂ）は図１の線Ｂ−Ｂにおける端面図であり、図７は、図１に示す眼鏡のブリッジを背面側からみた要部図解図である。
【００１１】
本実施形態例の眼鏡１０は、眼鏡本体１２および眼鏡本体１２のフロント部の所定の部位に眼鏡本体１２の前方から着脱自在に取付けられるアタッチメントフレーム１４を含む。眼鏡本体１２は、所定の玉形形状を有する左右一対の眼鏡レンズ１６を含む。眼鏡レンズ１６は、やげん（薬研）加工されたものである。左右一対の眼鏡レンズ１６は、左右一対のリム１８により保持されている。左右一対のリム１８は、たとえば図５に示すように、たとえば断面Ｖ字状のリム溝２０を有する。眼鏡レンズ１６は、その外周端部がリム１８に嵌合され、リム止め部２２でリムロックねじ（図示せず）により固定される。この場合、眼鏡レンズ１６のやげん（薬研）加工された部位がリム１８のリム溝２０に嵌合される。また、左右一対のリム１８は、たとえば断面円形で正面視円弧状のブリッジ２４により連接されている。さらに、眼鏡本体１２のフロント部の両端部分には、左右一対のリム１８の左右方向の両端に、平面視Ｌ字状の智２６が配設されている。智２６は、ヒンジ部２８を介して、テンプル３０が開閉自在に配設されている。
なお、本実施形態例の眼鏡１０では、眼鏡本体１２のリム１８、ブリッジ２４および智２６が金属材料で形成されている。また、テンプル３０は、たとえば芯金（図示せず）の周囲を合成樹脂部材で被覆したもので形成されている。
【００１２】
アタッチメントフレーム１４は、眼鏡本体１２の左右一対のリム１８を全周にわたって覆う左右一対のリム被覆部３２を含む。リム被覆部３２は、リム１８の形状に対応する形状を有し、環状に形成されている。リム１８の枠幅をｔ１、リム被覆部３２の枠幅をｔ２としたとき、ｔ１＜ｔ２に設定されている。
左右一対のリム被覆部３２には、それらを連接し、眼鏡本体１２のブリッジ２４を覆うブリッジ被覆部３４が配設される。ブリッジ被覆部３４は、たとえば断面縦長矩形で正面視円弧状に形成されている。左右一対のリム被覆部３２と、ブリッジ被覆部３４とは、弾性を有するたとえば樹脂材料で一体的に形成されている。本実施形態例では、アタッチメントフレーム１４が、セルロイド、アセテート等の弾性を有する熱可塑性樹脂で形成されている。また、眼鏡本体１２のフロント部の左右方向の全長（左右長）をＬ１、アタッチメントフレーム１４の左右方向の全長（左右長）をＬ２としたとき、Ｌ２＜Ｌ１になるように設定されている。また、眼鏡本体１２のフロント部全体の湾曲度合いと、アタッチメントフレーム１４全体の湾曲度合いとは、略同じ曲率半径を有するように形成されているが、たとえばアタッチメントフレーム１４の方の該曲率半径を眼鏡本体１２の方の該曲率半径よりも小さくするようにしてもよい。
【００１３】
さらに、左右一対のリム被覆部３２には、たとえば図２に示すように、それぞれ、その左右両側に、アタッチメントフレーム１４を眼鏡本体１２のフロント部に着脱自在に取付けるための係止手段としてのたとえば係止爪片３６が配設されている。係止爪片３６は、左右一対のリム被覆部３２の裏面側、つまり、眼鏡本体１２のフロント部と対向する面に配設される。各係止爪片３６は、たとえば図４に示すように、断面略円弧状のアール部３８を含む。アール部３８は、各リム被覆部３２の左右方向の両側で且つその上下方向に沿って延び設けられる。アール部３８は、各リム被覆部３２の内周縁３２ａ側に向いて該アール部３８のアールが出っ張るように配設されている。さらに、各係止爪片３６は、各リム被覆部３２の外周縁３２ｂ側に向いて突出する、たとえば断面Ｖ字状の凸部４０を有する。リム被覆部３２とアール部３８と凸部４０とは、一体的に形成されている。
【００１４】
一方、眼鏡本体１２の眼鏡レンズ１６は、係止爪片３６が係止される位置に対応して、たとえば縦長矩形状の切欠き部４２を有する。切欠き部４２は、眼鏡レンズ１６の左右方向の両側縁をたとえば「コ」字状に切欠くことによって配設されている。
【００１５】
本実施形態例の眼鏡１０では、係止爪片３６およびアタッチメントフレーム１４の弾性変形によって、眼鏡本体１２のフロント部に着脱自在に取付けられる。すなわち、アタッチメントフレーム１４は、その係止爪片３６が眼鏡レンズ１６の切欠き部４２に係止され、且つ、係止爪片３６の凸部４０が眼鏡本体１２のリム１８のリム溝２０に係止されることによって、眼鏡本体１２のフロント部に着脱自在に取付けられる（たとえば図４，図５，図６等参照。）。
【００１６】
この場合、アタッチメントフレーム１４の左右長が、眼鏡本体１２のフロント部の左右長よりも短く形成され、且つ、アタッチメントフレーム１４は弾性を有しているため、アタッチメントフレーム１４は、その弾性力によって、眼鏡本体１２のフロント部に弾圧的に保持される。すなわち、アタッチメントフレーム１４の左右方向の両端側が眼鏡本体１２のフロント部の両端側で左右方向に引っ張られ、それに伴いアタッチメントフレーム１４のリム被覆部３２が左右方向に拡径されて、眼鏡本体１２のリム溝２０に係止爪片３６の凸部４０が押圧・係止される。そのため、アタッチメントフレーム１４の弾性を利用して開くだけで簡単に眼鏡本体１２のフロント部のリム１８およびブリッジ２４に取付けられ、しかも、アタッチメントフレーム１４は安定して眼鏡本体１２のフロント部に保持される。
【００１７】
本実施形態例の眼鏡１０では、特に、アタッチメントフレーム１４が眼鏡本体１２のフロント部に取付けられたときに、特に、たとえば図６（Ａ）に示すように、係止爪片３６と切欠き部４２の端面との間には、眼鏡本体１２のフロント部の変形をアタッチメントフレーム１４の弾性変形によって吸収させるための間隙部Ｇができるように、切欠き部４２の大きさが設定されている。
【００１８】
この場合、眼鏡レンズ１６の上下方向に延びる切欠き部４２の端面とリム１８との間に係止爪片３６のアール部３８が配置されるので、たとえば眼鏡本体１２のテンプル３０の開閉動作により眼鏡本体１２に外力が加わったとき、該アタッチメントフレーム１４の弾性変形によって、係止爪片３６のアール部３８と切欠き部４２の端面とが当接する。つまり、係止爪片３６のアール部３８と切欠き部４２の端面とは、アール部３８の頂点部での線接触となり、接触抵抗を小さくすることができるので、切欠き部４２近傍部の眼鏡レンズ１６のガタツキ等を極力抑えることができる。
【００１９】
さらに、本実施形態例の眼鏡１０では、たとえば図２で示したように、眼鏡本体１２のリム１８の枠幅ｔ１よりも、リム被覆部３２の枠幅ｔ２の方が広く形成されているので、アタッチメントフレーム１４が眼鏡本体１２のフロント部に取付けられたときに、眼鏡本体１２のリム１８は、前方から見て、アタッチメントフレーム１４のリム被覆部３２の外周縁からはみ出ることがない。また、ブリッジ被覆部３４は、その枠幅が、たとえば図２，図７に示すように、眼鏡本体１２のブリッジ２４の枠幅よりも広く形成され、且つ、ブリッジ２４の形状に略沿って形成されている。そのため、本実施形態例の眼鏡１０では、あたかも、眼鏡本体１２のフロント部のリム１８およびブリッジ２４のみを取り替えたように見え、美観的にスッキリとした趣きが得られる。
【００２０】
図１〜図７で示した上述の実施形態例にかかる眼鏡１０では、アタッチメントフレーム１４のリム被覆部３２が眼鏡本体１２のリム１８の全周を覆うように環状に形成されたが、該アタッチメントフレーム１４としては、たとえば図８に示すように、リム被覆部３２に替えて、眼鏡本体１２の左右一対のリム１８の略上半分を覆うようにしたＣ字状のリム被覆部４４を含むものであってもよい。また、アタッチメントフレーム１４としては、たとえば図９に示すように、リム被覆部３２に替えて、眼鏡本体１２の左右一対のリム１８の略した半分を覆うようにしたＣ字状のリム被覆部４６を含むものであってもよい。
さらに、上述の実施形態例の眼鏡１０では、係止爪片３６がリム被覆部３２の裏面側の両側に配設されたが、それに加えて、該係止爪片３６をリム被覆部３２の裏面側のたとえば上部および下部に配設するようにしてもよい。リム被覆部３２の裏面側における係止爪片３６の個数および配置は、適宜、変更可能である。また、係止爪片３６は、リム被覆部３２と一体的に形成されていることが強度的にも好ましいが、それ以外にも、接着剤等の固着手段により、該係止爪片３６を別体として、リム被覆部３２の所定の位置に取付けるようにすることもできる。
【００２１】
さらに、アタッチメントフレーム１４としては、たとえば図１０に示すように、該アタッチメントフレーム１４全面に、装飾表示手段として、ストライプ模様等の装飾表示部４８が配設されたものであってもよい。装飾表示部４８としては、たとえば図１０に示すようなストライプ模様以外にも、装飾表示部４８として、たとえば幾何学的な図形、文字、記号、着色部、透明部、半透明部、透光部を適宜使用者の嗜好に応じて配設するようにしてもよい。この場合、装飾表示部４８は、リム被覆部３２およびブリッジ被覆部３４のいずれか一方、または、両方に配設するようにしてもよく、また、それらの一部分に配設するようにしてもよい。さらに、装飾表示部４８としては、たとえば図１０に示すように、アタッチメントフレーム１４のリム被覆部３２に、たとえばＵ字状の異形形状部５０を有するものであってもよい。
【００２２】
本実施形態例の眼鏡１０では、眼鏡本体１２のリム１８、ブリッジ２４および智２６が金属材料で形成されたが、これらの部材は、合成樹脂材料で形成されてもよい。また、本実施形態例の眼鏡１０では、テンプル３０がたとえば芯金（図示せず）の周囲を合成樹脂部材で被覆したもので形成されたが、テンプル３０は合成樹脂材料または金属材料のみで形成されてもよい。また、本実施形態例の眼鏡１０では、アタッチメントフレーム１４が合成樹脂材料で形成されたが、弾性を有するものであれば、アタッチメントフレーム１４は、たとえば金属材料で形成されてもよい。この場合、眼鏡本体１２のフロント部のリム１８、ブリッジ２４の弾性力よりも、アタッチメントフレーム１４のリム被覆部３２およびブリッジ被覆部３４の弾性力の方が高いことが好ましい。
なお、本実施形態例の眼鏡１０では、アタッチメントフレーム１４のリム被覆部３２およびブリッジ被覆部３４が合成樹脂材料で一体的に形成されているため、特に、たとえば眼鏡本体１２の智２６およびテンプル３０が金属材料で形成された場合、アタッチメントフレーム１４の樹脂質感と該智２６およびテンプル３０の金属質感との質感の違いによる装飾効果も期待できるものとなる。
【００２３】
本実施形態例の眼鏡１０では、係止爪片３６およびアタッチメントフレーム１４の弾性変形の協働作用によって、該アタッチメントフレーム１４を簡単に眼鏡本体１２のフロント部に着脱自在に取付けることができるため、該アタッチメントフレーム１４に種々の装飾表示部４８を付加することによって、眼鏡１０の使用者自身によって、時と場所に応じて、眼鏡本体１２のフロント部のデザインの変化を楽しむことができる。すなわち、眼鏡１０は、本来、眼鏡本体１２のリム１８およびブリッジ２４の色、形状等のフロント部の装飾性も、眼鏡１０全体の美感を決定する大きな要因となっており、該フロント部の態様によっても眼鏡１０を掛けたときの印象は左右されるため、本実施形態例の眼鏡１０のように、眼鏡本体１２のフロント部に着脱自在にアタッチメントフレーム１４を取付けることによって、多面的な装飾効果を引き出すことが可能となった。
【図面の簡単な説明】
【００２４】
【図１】本願発明にかかる眼鏡の一例を示す斜視図である。
【図２】図１に示す眼鏡の分解正面図である。
【図３】図１に示す眼鏡の分解平面図である。
【図４】図１に示す眼鏡の要部を示す拡大図解図である。
【図５】図４に示すレンズ側の要部の拡大図解図である。
【図６】（Ａ）は図１の線Ａ−Ａにおける断面図であり、（Ｂ）は図１の線Ｂ−Ｂにおける端面図である。
【図７】図１に示す眼鏡のブリッジを背面側からみた要部図解図である。
【図８】アタッチメントフレームの他の例を示す要部正面図である。
【図９】アタッチメントフレームのさらに他の例を示す要部正面図である。
【図１０】アタッチメントフレームの別の例を示す要部正面図である。
【図１１】アタッチメントフレームのさらに別の例を示し、該アタッチメントフレームを図１に示す眼鏡のフロント部に取付けた状態を示す正面図である。
【符号の説明】
【００２５】
１０  眼鏡
１２  眼鏡本体
１４  アタッチメントフレーム
１６  眼鏡レンズ
１８  リム
２０  リム溝
２２  リム止め部
２４  ブリッジ
２６  智
２８  ヒンジ部
３０  テンプル
３２，４４，４６  リム被覆部
３２ａ  リム被覆部の内周縁
３２ｂ  リム被覆部の外周縁
３４  ブリッジ被覆部
３６  係止爪片
３８  アール部
４０  凸部
４２  切欠き部
４８  装飾表示部
５０  異形形状部
【図１】
2006091084.tif 000003
【図２】
2006091084.tif 000004
【図３】
2006091084.tif 000005
【図４】
2006091084.tif 000006
【図５】
2006091084.tif 000007
【図６】
2006091084.tif 000008
【図７】
2006091084.tif 000009
【図８】
2006091084.tif 000010
【図９】
2006091084.tif 000011
【図１０】
2006091084.tif 000012
【図１１】
2006091084.tif 000013
【手続補正書】
【提出日】平成16年12月16日(2004.12.16)
【手続補正１】
【補正対象書類名】特許請求の範囲
【補正対象項目名】全文
【補正方法】変更
【補正の内容】
【特許請求の範囲】
【請求項１】
レンズ、前記レンズを保持する左右一対のリム、前記左右一対のリムをつなぐブリッジを備えた眼鏡本体、および、弾性を有すると共に前記眼鏡本体のフロント部の左右の長さより短い長さの左右長を有し、係止手段により前記眼鏡本体のフロント部に前方から着脱自在に取付けられるアタッチメントフレームを含み、
前記アタッチメントフレームは、前記眼鏡本体のリムの少なくとも一部を覆うリム被覆部、および、前記リム被覆部に連接され、前記眼鏡本体のブリッジを覆うブリッジ被覆部を含み、前記係止手段および前記アタッチメントフレームの弾性変形により前記眼鏡本体のフロント部に着脱自在に取付けられ、
前記係止手段は、前記リム被覆部の両側に配設され、前記リム被覆部の外縁側に向く凸部を有する係止爪片を含み、前記眼鏡本体のレンズは、前記係止爪片が係止される位置に対応して配設される切欠き部を含み、
前記アタッチメントフレームは、前記係止爪片が前記切欠き部に係止され、且つ、前記係止爪片の凸部が前記眼鏡本体のリムのリム溝に係止されることで、前記眼鏡本体のフロント部に着脱自在に取付けられることを特徴とする、眼鏡。
【請求項２】
前記アタッチメントフレームが前記眼鏡本体のフロント部に取付けられたときに、前記係止爪片と前記切欠き部の端面との間には、前記眼鏡本体のフロント部の変形を前記アタッチメントフレームの弾性変形によって吸収させるための間隙ができるように、前記切欠き部の大きさが設定されていることを特徴とする、請求項１に記載の眼鏡。
【手続補正２】
【補正対象書類名】明細書
【補正対象項目名】０００６
【補正方法】変更
【補正の内容】
【０００６】
請求項１にかかる本願発明は、レンズと、レンズを保持する左右一対のリムと、左右一対のリムをつなぐブリッジとを備えた眼鏡本体、および、弾性を有すると共に眼鏡本体のフロント部の左右の長さより短い長さの左右長を有し、係止手段により眼鏡本体のフロント部に前方から着脱自在に取付けられるアタッチメントフレームを含み、アタッチメントフレームは、眼鏡本体のリムの少なくとも一部を覆うリム被覆部と、リム被覆部に連接され、眼鏡本体のブリッジを覆うブリッジ被覆部とを含み、係止手段と、アタッチメントフレームの弾性変形とにより、眼鏡本体のフロント部に着脱自在に取付けられ、係止手段は、リム被覆部の両側に配設され、リム被覆部の外縁側に向く凸部を有する係止爪片を含み、眼鏡本体のレンズは、係止爪片が係止される位置に対応して配設される切欠き部を含み、アタッチメントフレームは、係止爪片が切欠き部に係止され、且つ、係止爪片の凸部が眼鏡本体のリムのリム溝に係止されることで、眼鏡本体のフロント部に着脱自在に取付けられることを特徴とする、眼鏡である。
請求項１にかかる本願発明では、アタッチメントフレームが係止手段によって眼鏡本体のフロント部に係止される。眼鏡本体のリムは、その少なくとも一部がリム被覆部により被覆され、眼鏡本体のブリッジは、ブリッジ被覆部により被覆される。さらに、アタッチメントフレームの左右の長さは、眼鏡本体のフロント部の左右の長さより短く形成され、且つ、弾性を有しているので、アタッチメントフレームは、その弾性力によって、眼鏡本体のフロント部に弾圧的に保持される。言い換えると、眼鏡本体のフロント部の左右長がアタッチメントフレームの左右長よりも長く形成されているため、眼鏡本体のフロント部に係止されたアタッチメントフレームは、眼鏡本体のフロント部により左右方向に引っ張られながら弾圧的に保持されている。
そのため、係止手段を解除してアタッチメントフレームの弾性力を利用することによって、眼鏡本体のフロント部から該アタッチメントフレームを簡単に取外すことが可能となる。また、眼鏡本体のフロント部が外力等によって変形した場合でも、その力（変形力）はアタッチメントフレームの弾性力により吸収される。
また、請求項１にかかる本願発明では、アタッチメントフレームの係止爪片が眼鏡本体のレンズに配置された切欠き部に係止され、係止爪片の凸部が眼鏡本体のリムのリム溝に係止される。この場合、アタッチメントフレームの弾性力によって、係止爪片の凸部が眼鏡本体のリムのリム溝に弾圧的に保持される。そのため、アタッチメントフレームを眼鏡本体のフロント部にガタツキがないようにしっかりと保持させることが可能となる。
請求項２にかかる本願発明は、請求項１にかかる発明に従属する眼鏡であって、アタッチメントフレームが眼鏡本体のフロント部に取付けられたときに、係止爪片と切欠き部の端面との間には、眼鏡本体のフロント部の変形をアタッチメントフレームの弾性変形によって吸収させるための間隙ができるように、切欠き部の大きさが設定されていることを特徴とする、眼鏡である。
請求項２にかかる本願発明では、係止爪片と切欠き部の端面との間に配設された間隙部において、眼鏡本体のフロント部の変形をアタッチメントフレームの弾性変形により吸収させることが可能となる。
本願発明では、アタッチメントフレームが、眼鏡本体のリムの全周を覆う環状のリム被覆部を含むようにすることが好ましい。この場合、リム被覆部が眼鏡本体のリムの全周を覆うように環状に形成されるので、該リム被覆部により眼鏡本体のリムの全周が被覆される。
また、本願発明では、アタッチメントフレームが、前記眼鏡本体のリムの略上半分または略下半分を覆うことが可能なＣ字状のリム被覆部を含むようにすることも適宜可能である。この場合、リム被覆部が眼鏡本体のリムの略上半分または略下半分を覆うようにＣ字状に形成されているため、該リム被覆部により眼鏡本体のリムの略上半分または略下半分が被覆される。
さらに、本願発明では、アタッチメントフレームが眼鏡本体のフロント部に取付けられたときに、少なくとも眼鏡本体のリムが、前方から見て、アタッチメントフレームのリム被覆部の外周縁からはみ出ないように、アタッチメントフレームの大きさを設定することも可能である。この場合、少なくとも眼鏡本体のリムは、前方から見て、アタッチメントフレームのリム被覆部の外周縁からはみ出ることがないため、あたかも、眼鏡本体のフロント部のたとえばリムのみを取り替えたように見え、美観的にスッキリとした趣きを呈するものとなる。
さらに、本願発明では、アタッチメントフレームの少なくとも一部に、図形、文字、記号、模様、着色部、透明部、半透明部、透光部、異形形状部等の装飾表示手段が配設されるようにしてもよい。すなわち、この装飾表示手段を有するアタッチメントフレームが眼鏡本体のフロント部に取付けられた場合、当該装飾表示手段によって、種々の装飾効果が付与され得る。